(57)【特許請求の範囲】
【請求項１】
帯状の一対の基材の各々の内面に、突条の雄側嵌合部及び該雄側嵌合部に着脱自在に嵌合する雌側嵌合部が前記基材の長手方向に沿ってそれぞれ設けられ、内容物を収容する袋本体の内面に取り付けられる嵌合具であって、
前記雌側嵌合部が、前記雄側嵌合部が嵌まり込む凹部を形成する、前記袋本体に取り付けられるときに開口側となる第１のアーム部及び前記袋本体に取り付けられるときに内容物側となる第２のアーム部を有し、前記第２のアーム部の高さが前記第１のアーム部の高さよりも高く、
嵌合状態で、かつ、前記一対の基材が平行状態にあるときに、前記雄側嵌合部の頭部の前記第２のアーム部側は前記第２のアーム部の先端部と接触していない、嵌合具。
【請求項２】
前記雄側嵌合部が設けられた基材の内面に、前記雄側嵌合部と嵌合された前記雌側嵌合部の前記第１のアーム部が外側に倒れるときに、第１のアーム部の外側面に接触する突起部が設けられている請求項１に記載の嵌合具。
【請求項３】
前記一対の基材の少なくとも一方の外面側における、前記雄側嵌合部及び雌側嵌合部に対応する部分に、長手方向に沿って凹条が形成されている請求項１又は２に記載の嵌合具。
【請求項４】
内容物を収容する袋本体と、該袋本体の内面に取り付けられた請求項１〜３のいずれか一項に記載の嵌合具を具備し、
前記嵌合具が、前記第２のアーム部が前記袋本体の内容物側となるように取り付けられている嵌合具付き袋体。
【発明の詳細な説明】
【技術分野】
【０００１】
本発明は、嵌合具及び嵌合具付き袋体に関する。
【背景技術】
【０００２】
食品、薬品等の様々な分野において、袋体の開口を開閉自在に封じる嵌合具が取り付けられた嵌合具付き袋体が広く使用されている。嵌合具付き袋体としては、例えば、図９に例示した嵌合具付き袋体１０１（以下、「袋体１０１」という。）が知られている（例えば、特許文献１、２）。
袋体１０１は、フィルム材１２１、１２２が合わされて袋状にされた、内容物を収容する袋本体１２０と、袋本体１２０の開口１２３近傍の内面に取り付けられた嵌合具１１０とを有する。嵌合具１１０は、一対の帯状の基材１１１、１１２のそれぞれに、雄型嵌合部１１３及び該雄型嵌合部１１３に着脱自在に嵌合する雌型嵌合部１１４が、それら基材１１１、１１２の長手方向に沿って設けられている。雄型嵌合部１１３は、基材１１１から立ち上がる幹部１１３ａと、幹部１１３ａの先端部に形成された幹部１１３ａよりも大きい頭部１１３ｂからなる。雌型嵌合部１１４は、基材１１２から円弧状に立ち上がるアーム部１１４ａ、１１４ｂを有し、それらアーム部１１４ａ、１１４ｂにより凹部１１４ｃが形成されている。嵌合具１１０は、基材１１１が袋本体１２０のフィルム材１２１の内面、基材１１２が袋本体のフィルム材１２２の内面に取り付けられており、雄型嵌合部１１３と雌型嵌合部１１４を着脱させることにより、袋体１０１の開口１２３を繰り返し開閉できる。
【０００３】
しかし、袋体１０１においては、袋本体１２０内に収容する内容物が多い場合等、袋本体１２０の内圧が高くなると、図１０に示すように、内容物側のフィルム材１２１とフィルム材１２２が広がることで、嵌合具１０１の基材１１１、１１２の内容物側も広げられる。このとき、雄側嵌合部１１３の幹部１１３ａが開口１２３側に倒れ込み、それによって雌側嵌合部１１４における開口１２３側のアーム部１１４ａが押し倒され、凹部１１４ｃが広がる。そのため、雄側嵌合部１１３が雌側嵌合部１１４から離脱しやすくなり、袋体１０１が開いてしまうことがある。
【０００４】
嵌合具が内容物側から開くことを抑制できる嵌合具付き袋体としては、例えば、図１１に例示した嵌合具付き袋体１０２（以下、「袋体１０２」という。）が知られている（例えば、特許文献３、４）。袋体１０２において袋体１０１と同じ部分は同符号を付して説明を省略する。
袋体１０２は、基材１１１、１１２の代わりに、基材１１１Ａ、１１２Ａを有する嵌合具１１０Ａを有する以外は、袋体１０１と同じである。基材１１１Ａ、１１２Ａは、外面側における、雄型嵌合部１１３及び雌型嵌合部１１４に相当する部分に、長手方向に沿って凹条１１５、１１６が設けられている。つまり、嵌合具１１０Ａは、基材１１１Ａ、１１１２Ａにおける凹条１１５、１１６の部分が袋本体１２０のフィルム材１２１、１２２に溶着されていない。そのため、嵌合具１１０Ａにおける基材１１１Ａ、１１２Ａの凹条１１５、１１６の部分は、袋本体１２０のフィルム材１２１、１２２の動きの影響を受け難くなる。これにより、フィルム材１２１、１２２の内容物側が広がっても、嵌合具１１０Ａにおける基材１１１Ａ、１１２Ａの凹条１１５、１１６の部分の動きが小さくなり、雄型嵌合部１１３と雌型嵌合部１１４の嵌合形態が維持されやすくなることで、袋体が開くことが抑制される。
しかし、袋体１０２においても、内容物側から嵌合具１１０Ａが開くことを抑制する効果はまだ充分とは言えず、さらなる性能向上が望まれる。
【先行技術文献】
【特許文献】
【０００５】
【特許文献１】特開平１０−２６４９４６号公報
【特許文献２】特許第３５２９５０３号公報
【特許文献３】特開平４−３３９７６８号公報
【特許文献４】特開昭５６−１４５３６号公報
【発明の概要】
【発明が解決しようとする課題】
【０００６】
本発明は、袋本体に取り付けて該袋本体の開口を開閉自在に封じる嵌合具であって、袋本体の内圧が高くなっても内容物側から開くことを抑制できる嵌合具、及び該嵌合具を備えた嵌合具付き袋体の提供を目的とする。
【課題を解決するための手段】
【０００７】
本発明の嵌合具は、帯状の一対の基材の各々の内面に、突条の雄側嵌合部及び該雄側嵌合部に着脱自在に嵌合する雌側嵌合部が前記基材の長手方向に沿ってそれぞれ設けられ、内容物を収容する袋本体の内面に取り付けられる嵌合具であって、前記雌側嵌合部が、前記雄側嵌合部が嵌まり込む凹部を形成する、前記袋本体に取り付けられるときに開口側となる第１のアーム部及び前記袋本体に取り付けられるときに内容物側となる第２のアーム部を有し、前記第２のアーム部の高さが前記第１のアーム部の高さよりも高く、嵌合状態で、かつ、前記一対の基材が平行状態にあるときに、前記雄側嵌合部の頭部の前記第２のアーム部側は前記第２のアーム部の先端部と接触していない。
また、本発明の嵌合具は、前記雄側嵌合部が設けられた基材の内面に、前記雄側嵌合部と嵌合された前記雌側嵌合部の前記第１のアーム部が外側に倒れるときに、第１のアーム部の外側面に接触する突起部が設けられていることが好ましい。
また、前記一対の基材の少なくとも一方の外面側における、前記雄側嵌合部及び雌側嵌合部に対応する部分に、長手方向に沿って凹条が形成されていることが好ましい。
【０００８】
また、本発明の嵌合具付き袋体は、内容物を収容する袋本体と、該袋本体の内面に取り付けられた本発明の嵌合具を具備し、前記嵌合具が、前記第２のアーム部が前記袋本体の内容物側となるように取り付けられている。
【発明の効果】
【０００９】
本発明の嵌合具は、袋本体に取り付けて該袋本体の開口を開閉自在に封じる嵌合具であって、袋本体の内圧が高くなっても内容物側から開くことを抑制できる。
また、本発明の嵌合具付き袋体は、袋本体の内圧が高くなっても内容物側から開き難い。
【図面の簡単な説明】
【００１０】
【図１】本発明の嵌合具の一例を示した断面図である。
【図２】本発明の嵌合具付き袋体の一例を示した正面図である。
【図３】図２の嵌合具付き袋体を直線Ｉ−Ｉ’で切断したときの断面図である。
【図４】図２の嵌合具付き袋体を開封した様子を示した断面図である。
【図５】図４の嵌合具付き袋体の内容物側が広がった様子を示した断面図である。
【図６】本発明の嵌合具の他の例を示した断面図である。
【図７】図６の嵌合具を取り付けた嵌合具付き袋体の内容物側が広がった様子を示した断面図である。
【図８】本発明の嵌合具の他の例を示した断面図である。
【図９】従来の嵌合具付き袋体の一例を示した断面図である。
【図１０】図９の嵌合具付き袋体の内容物側が広がった様子を示した断面図である。
【図１１】従来の嵌合具付き袋体の一例を示した断面図である。
【発明を実施するための形態】
【００１１】
以下、本発明の嵌合具、及び該嵌合具を取り付けた嵌合具付き袋体の一例を示して詳細に説明する。
［第１実施形態］  
（嵌合具）
図１は、本実施形態の嵌合具１０を、幅方向に沿って切断したときの断面図である。他の嵌合具の断面図についても同様である。
本実施形態の嵌合具１０は、図１に示すように、一対の帯状の第１の基材１１及び第２の基材１２を有している。
第１の基材１１の内面１１ａには、突条の雄側嵌合部１３が第１の基材１１の長手方向に沿って設けられている。第２の基材１２の内面１２ａには、雄側嵌合部１３と着脱自在に嵌合する雌側嵌合部１４が第２の基材１２の長手方向に沿って設けられている。雌側嵌合部１４は、雄側嵌合部１３が嵌まり込む凹部１４ｃを形成する第１のアーム部１４ａと第２のアーム部１４ｂを有している。
嵌合具１０は、第２のアーム部１４ｂ側を袋体の内容物側にして袋本体の内面に取り付けられる。つまり、第１の基材１１及び第２の基材１２における第１のアーム部１４ａ側の側端１１ｃ、１２ｃを袋体に形成する開口側とし、第１の基材１１及び第２の基材１２における第２のアーム部１４ｂ側の側端１１ｄ、１２ｄを袋体の内容物側とするように袋本体に取り付けられる。
【００１２】
第１の基材１１は、特に限定されず、公知の嵌合具の基材に使用されるものが使用でき、積層フィルムからなる基材が好ましい。積層フィルムからなる第１の基材１１としては、例えば、内面１１ａ側から、耐熱層とヒートシール層が積層されたフィルムが挙げられる。また、第１の基材１１は、耐熱層とヒートシール層の間にバリア層を有していてもよい。
耐熱層の材質としては、二軸延伸ナイロン、二軸延伸ポリプロピレン等が挙げられる。
ヒートシール層の材質としては、直鎖状低密度ポリエチレン、無延伸ポリプロピレン、エチレン−酢酸ビニル共重合体、アイオノマー等が挙げられる。
バリア層の材質としては、ポリビニルアルコール等が挙げられる。
【００１３】
第１の基材１１は、１種の樹脂からなっていてもよく、２種以上の樹脂を含む樹脂組成物からなっていてもよい。また、必要に応じて安定剤、酸化防止剤、滑剤、帯電防止剤、着色剤等の公知の添加剤が添加されていてもよい。
また、第１の基材１１は、積層フィルムからなる基材には限定されず、単層フィルムからなる基材であってもよい。
第２の基材１２としては、第１の基材１１と同じ基材が挙げられ、好ましい態様も同じである。
【００１４】
雄側嵌合部１３は、第１の基材１１の内面１１ａから立ち上がる幹部１３ａと、幹部１３ａの先端部に設けられた、幹部１３ａよりも大きい断面略半円形状の頭部１３ｂを有している。また、雌側嵌合部１４は、第２の基材１２の内面１２ａから断面円弧状に立ち上がる第１のアーム部１４ａと第２のアーム部１４ｂからなり、第１のアーム部１４ａと第２のアーム部１４ｂによって凹部１４ｃが形成されている。雄側嵌合部１３と雌側嵌合部１４は、雄側嵌合部１３の頭部１３ｂを雌側嵌合部１４の凹部１４ｃに嵌め込むことで、着脱自在に嵌合できるようになっている。
【００１５】
雌側嵌合部１４の第２のアーム部１４ｂの高さは、第１のアーム部１４ａの高さよりも高くなっている。ここで、第１のアーム部１４ａ、第２のアーム部１４ｂの高さとは、第２の基材１２の内面１２ａからの高さを意味する。嵌合具１０においては、雄側嵌合部１３と雌側嵌合部１４が嵌合されている状態で、第１の基材１１と第２の基材１２が平行であるときは、雄側嵌合部１３における頭部１３ｂの第１のアーム部１４ａ側が第１のアーム部１４ａの先端部と接触していても、雄側嵌合部１３における頭部１３ｂの第２のアーム部１４ｂ側は第２のアーム部１４ｂの先端部と接触していない。つまり、雄側嵌合部１３と雌側嵌合部１４を嵌合した状態において、雌側嵌合部１４の凹部１４ｃにおける第２のアーム部１４ｂの先端部側にスペースが存在している。
第２のアーム部１４ｂの高さが第１のアーム部１４ａの高さよりも高いことで、第１の基材１１と第２の基材１２の第２のアーム部１４ｂ側が開いたときに、雌側嵌合部１４の第１のアーム部１４ａが雄側嵌合部１３の幹部１３ａによって押し広げられることが抑制され、雄側嵌合部１３が雌側嵌合部１４から脱離することが抑制される。この効果が得られる要因については後述する。
【００１６】
第１のアーム部１４ａの高さに対する第２のアーム部１４ｂの高さの比は、第１の基材１１と第２の基材１２の第２のアーム部１４ｂ側が開いたときに、雄側嵌合部１３が雌側嵌合部１４から脱離することを抑制しやすい点から、１．１以上が好ましく、１．２以上がより好ましい。また、第１のアーム部１４ａの高さに対する第２のアーム部１４ｂの高さの比は、雄側嵌合部１３と雌側嵌合部１４を充分に嵌合させやすい点から、１．５以下が好ましく、１．４以下がより好ましい。
【００１７】
雄側嵌合部１３の断面形状は、雄側嵌合部１３と雌側嵌合部１４を着脱して袋体に形成した開口の開閉が繰り返し行えるものであればよく、任意の断面形状を採用できる。
雌側嵌合部１４の断面形状は、第２のアーム部１４ｂの高さが第１のアーム部１４ａの高さよりも高い以外は、雄側嵌合部１３と雌側嵌合部１４を着脱して袋体に形成した開口の開閉が繰り返し行えるものであればよい。例えば、この例の雌側嵌合部１４は、第１のアーム部１４ａと第２のアーム部１４ｂが第２の基材１２の内面１２ａから直接立ち上がっている形態であるが、第２の基材１２の内面１２ａから立ち上がる首部を有し、該首部から第１のアーム部と第２のアーム部が円弧状に立ち上がる形態の雌側嵌合部であってもよい。
雄側嵌合部１３及び雌側嵌合部１４の材質としては、第１の基材１１及び第２の基材１２と同じ材質が使用できる。
【００１８】
（嵌合具付き袋体）
以下、本発明の嵌合具付き袋体の一例として、前記嵌合具１０が取り付けられた嵌合具付き袋体１（以下、「袋体１」という。）について説明する。
本実施形態の袋体１は、図２及び図３に示すように、内容物を収容する密封された状態の袋本体２０と、袋本体２０内の上部の内面に、横方向に沿って取り付けられた嵌合具１０とを有している。
袋本体２０は、第１のフィルム材２１と第２のフィルム材２２が重ね合わされ、それらの周縁部２３が全てヒートシールされることで形成されており、密封された状態になっている。また、袋本体２０における嵌合具１０よりも上部側には、横方向に沿って切断補助線２４が設けられており、その端部にノッチ２５が形成されている。つまり、袋体１は、ノッチ２５から、切断補助線２４に沿って袋本体２０の第１のフィルム材２１及び第２のフィルム材２２を切断して、上部を開封できるようになっている。開封後の袋体１は、嵌合具１０の雄側嵌合部１３と雌側嵌合部１４を着脱することで、形成した開口を自在に開閉できる。
【００１９】
袋本体２０の形状は、本実施形態では矩形である。ただし、袋本体２０の形状は矩形には限定されない。また、袋本体２０の大きさも特に限定されず、袋本体２０に収容する内容物によって適宜選定すればよい。
【００２０】
袋本体２０を形成する第１のフィルム材２１と第２のフィルム材２２は、ヒートシールにより嵌合具１０を溶着できるものであればよく、内面側からシーラント層と基材層を少なくとも有する積層フィルムが好ましい。
基材層としては、二軸延伸ナイロン、二軸延伸ポリプロピレン等が挙げられる。
シーラント層としては、直鎖状低密度ポリエチレン、無延伸ポリプロピレン、エチレン−酢酸ビニル共重合体、アイオノマー等が挙げられる。
また、前記積層フィルムには、バリア層等の機能層を設けてもよい。
また、第１のフィルム材２１と第２のフィルム材２２は、シーラント層のみからなる単層フィルムであってもよい。
【００２１】
嵌合具１０は、第１の基材１１の側端１１ｃ側及び第２の基材１２の側端１２ｃ側が袋体１の上部側に向くようにし、第１の基材１１の側端１１ｄ側及び第２の基材１２の側端１２ｄ側が内容物側となるように袋本体２０の内面に取り付けられている。つまり、嵌合具１０は、雌側嵌合部１４の第１のアーム部１４ａが袋体１の開口側、雌側嵌合部１４の第２のアーム部１４ｂが内容物側となるように取り付けられている。
【００２２】
嵌合具１０は、図３に示すように、嵌合具１０の第１の基材１１の外面１１ｂが袋本体２０の第１のフィルム材２１に溶着され、嵌合具１０の第２の基材１２の外面１２ｂが袋本体２０の第２のフィルム材２２に溶着されている。
【００２３】
切断補助線２４は、袋本体２０を切断して開封するのを補助する線である。切断補助線２４としては、例えば、袋本体２０の第１のフィルム材２１及び第２のフィルム材２２における切断補助線２４の部分をそれ以外の部分に比べて薄肉化した弱化線、ミシン目からなる弱化線、列状に形成された細孔からなる弱化線が挙げられる。また、切断補助線２４は、前記弱化線には限定されず、ハサミやカッター等で切断する位置を示す、印刷等で形成した線であってもよい。
切断補助線２４は、本実施形態では袋本体２０の幅方向に沿って形成されているが、この形態には限定されず、袋本体２０の幅方向に対して傾斜して設けられていてもよい。
【００２４】
ノッチ２５の形状は、この例では三角形状であるが、特に限定されず、半円形状、直線状等であってもよい。
【００２５】
袋体１は、ノッチ２５から切断補助線２４に沿って袋本体２０の上部を切断して除去することで、図４に示すように、上部に開口２６を形成して開封することができる。袋体１に形成した開口２６は、嵌合具１０の雄側嵌合部１３と雌側嵌合部１４を着脱することで繰り返し開閉できる。
袋体１は、第２のアーム部１４ｂの高さが第１のアーム部１４ａの高さよりも高い雌側嵌合部１４を有する嵌合具１０が取り付けられていることで、袋本体２０内に収容する内容物の量が多い場合等、袋本体２０の内圧が高くなっても、嵌合具１０が内容物側から開き難い。そのため、袋体１は、内圧が高くなっても嵌合具１０によって開口２６を閉じた状態を安定して維持できる。この雌側嵌合部１４によって前記効果が得られる要因は以下のように考えられる。
【００２６】
前述したように、袋体１０１においては、図１０に示すように、袋本体１２０の内圧が高くなると、内容物側のフィルム材１２１とフィルム材１２２と共に、嵌合具１０１の基材１１１、１１２の内容物側が広がり、雄側嵌合部１１３の幹部１１３ａが開口１２３側に倒れ込む。そして、倒れ込んだ雄側嵌合部１１３の幹部１１３ａによって、雌側嵌合部１１４における開口１２３側のアーム部１１４ａが押し倒されるため、凹部１１４ｃが広がって雄側嵌合部１１３が雌側嵌合部１１４から離脱しやすくなる。
これに対し、袋体１では、図５に示すように、袋本体２０の内圧が高まって、第１のフィルム材２１及び第２のフィルム材２２と共に、嵌合具１０の第１の基材１１と第２の基材１２の内容物側が広がると、袋体１０１の場合と同様に、雄側嵌合部１３の幹部１３ａが開口２６側に倒れ込む。しかし、このとき、袋体１０１の場合と異なり、雄側嵌合部１３の頭部１３ｂの内容物側が雌側嵌合部１４の第２のアーム部１４ｂの先端部に接触するところまで、雌側嵌合部１４の凹部１４ｃ内で雄側嵌合部１３が引き上げられる。これにより、雄側嵌合部１３の幹部１３ａが雌側嵌合部１４の第１のアーム部１４ａから遠ざかる。そのため、雄側嵌合部１３の頭部１３ｂが開口２６側に倒れ込んだとしても、雄側嵌合部１３の幹部１３ａが第１のアーム部１４ａを開口２６側へ押し倒す度合が小さくなるので、雌側嵌合部１４の凹部１４ｃの広がりを低減できる。よって、袋本体２０の内圧が高くなっても雄側嵌合部１３が雌側嵌合部１４から脱離し難く、袋体１が開くことを抑制できる。
【００２７】
［他の実施形態］
なお、本発明の嵌合具は、前記嵌合具１０には限定されない。例えば、図６に例示した嵌合具１０Ａであってもよい。嵌合具１０Ａにおける嵌合具１０と同じ部分については同じ符号を付して説明を省略する。嵌合具１０Ａは、第１の基材１１の内面１１ａに、雄側嵌合部１３と嵌合された雌側嵌合部１４の第１のアーム部１４ａが外側に倒れるときに、第１のアーム部１４ａの外側面１４ｄに接触する突起部１５が設けられている以外は、嵌合具１０と同じである。
【００２８】
嵌合具１０Ａを袋本体２０に取り付けた嵌合具付き袋体では、図７に示すように、袋本体２０の内圧が高まって第１の基材１１と第２の基材１２の第２のアーム部１４ｂ側（内容物側）が開き、それによって雄側嵌合部１３の幹部１３ａが倒れ込むことで第１のアーム部１４ａが外側（開口側）に押されても、突起部１５によって第１のアーム部１４ａの倒れ込みが抑制される。これにより、雌側嵌合部１４の凹部１４ｃが広がることをより安定して低減できる。
【００２９】
突起部１５は、雌側嵌合部１４の第１のアーム部１４ａが外側に倒れるときに第１のアーム部１４ａの外側面１４ｄに接触するように設けられていればよい。つまり、この例では、第１の基材１１と第２の基材１２が平行な状態で雄側嵌合部１３と雌側嵌合部１４が嵌合しているときには、突起部１５は雌側嵌合部１４の第１のアーム部１４ａには接触していないが、このときに突起部１５が第１のアーム部１４ａの外側面に接触していてもよい。
【００３０】
突起部１５の高さは、雌側嵌合部１４の第１のアーム部１４ａが外側に倒れるときに第１のアーム部１４ａの外側面１４ｄに接触するように、適宜設定できる。
また、突起部１５の断面形状は、この例では矩形状である。ただし、突起部１５の断面形状は特に限定されず、円形状等であってもよい。なお、突起部１５の断面形状とは、嵌合具１０を幅方向に沿って切断したときの断面形状である。
突起部１５の材質としては、第１の基材１１及び第２の基材１２の材質と同じものが挙げられる。
【００３１】
突起部１５は、第１の基材１１の長手方向に沿って連続的に設けられていても、第１の基材１１の長手方向に沿って断続的に破線状に設けられていてもよい。雌側嵌合部１４の第１のアーム部１４ａが外側に倒れて凹部１４ｃが広がることを抑制しやすい点から、突起部１５は第１の基材１１の長手方向に沿って連続的に設けられていることが好ましい。
【００３２】
また、本発明の嵌合具は、図８に例示した嵌合具１０Ｂであってもよい。嵌合具１０Ｂにおける嵌合具１０と同じ部分については同じ符号を付して説明を省略する。
嵌合具１０Ｂは、第１の基材１１、第２の基材１２の代わりに、第１の基材１１Ｂ、第２の基材１２Ｂを有する以外は、嵌合具１０と同じである。第１の基材１１Ｂは、外面１１ｂ側における雄側嵌合部１３に対応する部分に、長手方向に沿って凹条１６が設けられている。また、第２の基材１２Ｂは、外面１２ｂ側における雌側嵌合部１４に対応する部分に、凹条１７が設けられている。つまり、嵌合具１０Ｂは、袋本体２０に取り付けられる際、第１の基材１１Ｂにおける凹条１６の部分と、第２の基材１２Ｂにおける凹条１７の部分が、袋本体２０の第１のフィルム材２１及び第２のフィルム材２２に溶着されない。
【００３３】
嵌合具１０Ｂは、第１の基材１１Ｂにおける凹条１６の部分と、第２の基材１２Ｂにおける凹条１７の部分が、袋本体２０の第１のフィルム材２１及び第２のフィルム材２２に溶着されていないことで、雄側嵌合部１３及び雌側嵌合部１４が第１のフィルム材２１及び第２のフィルム材２２の動きの影響を受け難くなる。特に第１のフィルム材２１及び第２のフィルム材２２の内容物側が広がっても、第１の基材１１と第２の基材１２は、凹条１６の内容物側の端部１６ａと凹条１７の内容物側の端部１７ａを基点にして折れ曲がることで、雄側嵌合部１３と雌側嵌合部１４の動きは最小限に抑えられる。このように、第１のフィルム材２１及び第２のフィルム材２２の内容物側が広がっても、雄型嵌合部１３と雌型嵌合部１４の嵌合形態が維持されやすくなる。よって、袋本体２０の内圧が高くなっても、雄側嵌合部１３が雌側嵌合部１４から脱離することをさらに容易に抑制することができ、袋体１が開くことをより安定して抑制できる。
【００３４】
凹条１６は、雄側嵌合部１３と雌側嵌合部１４の嵌合形態がより維持されやすくなる点から、第１の基材１１の外面１１ｂにおける雄側嵌合部１３の幹部１３ａの側端１１ｄ側（内容物側）に対応する部分が少なくとも含まれるように形成されていることが好ましい。同様に、凹条１７は、第２の基材１２の外面１２ｂにおける雌側嵌合部１４の第２のアーム部１４ｂ（内容物側）に対応する部分が少なくもと含まれるように形成されていることが好ましい。
凹条１６、１７の深さ及び幅は、第１のフィルム材２１及び第２のフィルム材２２の内容物側が広がっても、雄型嵌合部１３と雌型嵌合部１４の嵌合形態が維持されやすくなるように、適宜設定すればよい。凹条１６、１７の深さが深く、幅が広いほど、雄側嵌合部１３及び雌側嵌合部１４が第１のフィルム材２１及び第２のフィルム材２２の動きの影響を受け難くなる。
また、凹条１６、１７の断面形状は、この例では矩形状である。ただし、凹条１６、１７の断面形状は特に限定されず、円形状、三角形状等であってもよい。なお、凹条１６、１７の断面形状とは、嵌合具１０を幅方向に沿って切断したときの断面形状である。
【００３５】
凹条１６、１７は、第１の基材１１、第２の基材１２の長手方向に沿って連続的に設けられていても、第１の基材１１、第２の基材１２の長手方向に沿って断続的に破線状に設けられていてもよい。雄側嵌合部１３と雌側嵌合部１４の嵌合形態を維持しやすい点から、凹条１６、１７は、第１の基材１１、第２の基材１２の長手方向に沿って連続的に設けられていることが好ましい。
【００３６】
また、本発明の嵌合具は、一対の基材の一方のみに、前記凹条が形成された嵌合具であってもよい。また、雄側嵌合部が設けられた基材の内面に前述した突起部が設けられ、かつ一対の基材の少なくとも一方の外面側に前述した凹条が形成された嵌合具であってもよい。
【００３７】
また、本発明の嵌合具付き袋体は、本発明の嵌合具を取り付けたものであればよく、前記袋体１には限定されない。例えば、前述した他の形態の嵌合具を取り付けた嵌合具付き袋体であってもよい。
また、嵌合具付き袋体の袋本体も特に限定されず、嵌合具付き袋体の袋本体として知られる様々な形態の袋本体を採用できる。例えば、袋体１は切断補助線２４を利用して開封するまでは密封状態の袋体であったが、予め開口が形成された袋本体を有する嵌合具付き袋体であってもよい。
【符号の説明】
【００３８】
１  嵌合具付き袋体
１０、１０Ａ、１０Ｂ  嵌合具
１１、１１Ｂ  第１の基材
１２、１２Ｂ  第２の基材
１１ａ、１２ａ  内面
１１ｂ、１２ｂ  外面
１３  雄側嵌合部
１３ａ  幹部
１３ｂ  頭部
１４  雌側嵌合部
１４ａ  第１のアーム部
１４ｂ  第２のアーム部
１４ｃ  凹部
１４ｄ  外側面
１５  突起部
１６、１７  凹条
【図１】
0005977930.tif 000002
【図２】
0005977930.tif 000003
【図３】
0005977930.tif 000004
【図４】
0005977930.tif 000005
【図５】
0005977930.tif 000006
【図６】
0005977930.tif 000007
【図７】
0005977930.tif 000008
【図８】
0005977930.tif 000009
【図９】
0005977930.tif 000010
【図１０】
0005977930.tif 000011
【図１１】
0005977930.tif 000012